(57)【要約】【課題】カラー表示を行うにあたり、最大反射率を低下させずに、かつ、良好な色再現性を維持することができる情報表示用パネルを提供する。【解決手段】少なくとも一方が透明な２枚の基板間の隔壁２４により形成されたセル２３内に帯電性粒子を含んだ粒子群を表示媒体として封入し、２枚の基板の各々に設けた互いに直交するライン電極２１、２２に電圧を印加することで表示媒体に電界を付与することによって、表示媒体を移動させて画像等の情報を表示する情報表示用パネルにおいて、４色のカラー表示手段を２行２列に配置して１表示単位を構成してカラー表示をするにあたり、１セル内に２色のカラー表示手段を配置、具体的な一例としては、４色のカラーフィルターを２行２列に配置して１表示単位を構成してカラー表示をするにあたり、１セル内に２色のカラーフィルターを配置した。【選択図】図３
2009115972.tif 000002
【特許請求の範囲】
【請求項１】
少なくとも一方が透明な２枚の基板間の隔壁により形成されたセル内に帯電性粒子を含んだ粒子群を表示媒体として封入し、２枚の基板の各々に設けた互いに直交するライン電極に電圧を印加することで表示媒体に電界を付与することによって、表示媒体を移動させて画像等の情報を表示する情報表示用パネルにおいて、４色のカラー表示手段を２行２列に配置して１表示単位を構成してカラー表示をするにあたり、１セル内に２色のカラー表示手段を配置したことを特徴とする情報表示用パネル。
【請求項２】
４色のカラー表示手段が、４色のカラーフィルターと４色のカラーフィルターの各別に対応して封入された互いに帯電極性が異なる白色表示媒体および黒色表示媒体とを協働させて、カラー表示を行うことを特徴とする請求項１に記載の情報表示用パネル。
【請求項３】
１セル内に、走査電極とするライン電極に平行に２色のカラー表示手段が並ぶようセルを構成したことを特徴とする請求項２に記載の情報表示用パネル。
【請求項４】
走査電極とするライン電極に平行に配置された各セルが、隣り合うセル間で、１カラー表示手段分だけずれるようセルを配置したことを特徴とする請求項３に記載の情報表示用パネル。
【請求項５】
１セル内に、各々のカラーフィルターのＣＩＥ色度図（ｘ、ｙ）で表されるｘｙの距離が最も近い２色のカラーフィルターを配置したことを特徴とする請求項２〜４のいずれか１項に記載の情報表示用パネル。
【請求項６】
走査電極とするライン電極を表示面側に設け、データ電極とするライン電極を背面側に設け、表示面側ライン電極を走査（スキャン）することで表示書き換えを行うことを特徴とする請求項２〜５のいずれか１項に記載の情報表示用パネル。
【請求項７】
４色のカラーフィルターを、赤（Ｒ）、緑（Ｇ）、青（Ｂ）、無色（Ｔ）のフィルター、または、シアン（Ｃ）、マゼンタ（Ｍ）、黄（Ｙ）、無色（Ｔ）のフィルター、または、赤（Ｒ）、青（Ｂ）、シアン（Ｃ）、黄（Ｙ）のフィルター、さらにまたは、赤（Ｒ）、緑（Ｇ）、シアン（Ｃ）、黄（Ｙ）のフィルターから構成したことを特徴とする請求項２〜６のいずれか１項に記載の情報表示用パネル。
【請求項８】
４色カラー表示手段が、４種類のカラー表示媒体セットで構成され、
該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、
カラー表示媒体セットのそれぞれにおいて帯電極性の異なる２色のカラー表示媒体を協働させてカラー表示を行うことを特徴とする請求項１に記載の情報表示用パネル。
【請求項９】
１セル内に、走査電極とするライン電極に平行に２色のカラー表示手段が並ぶようセルを構成したことを特徴とする請求項８に記載の情報表示用パネル。
【請求項１０】
走査電極とするライン電極に平行に配置された各セルが、隣り合うセル間で、１カラー表示手段分だけずれるようセルを配置したことを特徴とする請求項９に記載の情報表示用パネル。
【請求項１１】
１セル内に、各々のカラー表示手段を構成する白色および黒色以外のカラー表示媒体のＣＩＥ色度図（ｘ、ｙ）で表されるｘｙの距離が最も近い２色のカラー表示媒体を配置したことを特徴とする請求項８〜１０のいずれか１項に記載の情報表示用パネル。
【請求項１２】
走査電極とするライン電極を表示面側に設け、データ電極とするライン電極を背面側に設け、表示面側ライン電極を走査（スキャン）することで表示書き換えを行うことを特徴とする請求項８〜１１のいずれか１項に記載の情報表示用パネル。
【請求項１３】
白色表示媒体および黒色表示媒体以外のカラー表示媒体を、赤（Ｒ）、緑（Ｇ）、青（Ｂ）のカラー表示媒体、または、シアン（Ｃ）、マゼンタ（Ｍ）、黄（Ｙ）のカラー表示媒体、から構成したことを特徴とする請求項８〜１２のいずれか１項に記載の情報表示用パネル。
【発明の詳細な説明】
【技術分野】
【０００１】
本発明は、少なくとも一方が透明な２枚の基板間の隔壁により形成されたセル内に帯電性粒子を含んだ粒子群を表示媒体として封入し、２枚の基板の各々に設けた互いに直交するライン電極に電圧を印加することで表示媒体に電界を付与することによって、表示媒体を移動させて画像等の情報を表示する情報表示用パネルにおいて、４色のカラー表示手段を２行２列に配置して１表示単位を構成してカラー表示をする情報表示用パネルに関するものである。
【背景技術】
【０００２】
従来、少なくとも一方が透明な２枚の基板間の隔壁により形成されたセル内に帯電性粒子を含んで構成した表示媒体を封入し、２枚の基板の各々に設けた互いに直交するライン電極に電圧を印加することで表示媒体に電界を付与することによって、表示媒体を移動させて画像等の情報を表示する情報表示用パネルにおいて、４色のカラーフィルターと４色のカラーフィルターの各別に対応して封入された互いに帯電極性が異なる白色表示媒体および黒色表示媒体とを用いて１表示単位を構成してカラー表示をするにあたり、各セルに４色のカラーフィルターの各々を配置する、すなわち各セルに対応して１色のカラーフィルターを配置する（以下、１個／１セルとも記載する）例や、１セルに対応して４色のカラーフィルターを全て配置する（以下、４個／１セルとも記載する）の例が知られている（例えば、特許文献１参照）。
【０００３】
また、ＲＧＢＫ（Ｗ）（赤、緑、青、黒（白））あるいはＹＭＣＫ（Ｗ）（イエロー、マゼンタ、シアン、黒（白））の４色のカラー表示媒体と、それらとは帯電極性および色が異なるように白色のカラー表示媒体または黒色のカラー表示媒体とを組合せ２構成したものをそれぞれ、各セルに対応して配置する（以下、１個／１セルとも記載する）例や、１セル内に４色のカラー表示媒体の組合せを全て配置する（以下、４個／１セルとも記載する）例も知られている（例えば、特許文献２参照）。
【０００４】
【特許文献１】特開２００７−１５６４４４号公報
【特許文献２】特開２００７−１７１６５０号公報
【発明の開示】
【発明が解決しようとする課題】
【０００５】
上述した従来のカラーフィルターを用いてカラー表示を可能にした情報表示用パネルでは、図１２に示すような、各セル５１に対応して４色のカラーフィルターを各別に配置する１個／１セルの例では、各色のカラーフィルター毎にセル５１を形成する隔壁５４が存在するため、最大反射率が下がってしまう問題があった。なお、図１２において、５２は表示面側のライン電極、５３は表示面側のライン電極５２と直交して設けられた背面側のライン電極、である。
【０００６】
また、図１３に示すような、赤（Ｒ）、緑（Ｇ）、青（Ｂ）、無色（Ｔ）の４色のカラーフィルター全てを１つのセル５１に対応して配置した４個／１セルの例では、最大反射率の問題は発生しないが、１つのセル５１内を自由に移動可能に表示媒体が充填される構造であるため、表示媒体が各色の表示に均一に寄与することが難しく、表示媒体の色が各色毎に異なることとなり、その結果、色再現性が悪くなる問題があった。なお、図１３において、５２は表示面側のライン電極、５３は表示面側のライン電極５２と直交して設けられた背面側のライン電極、５４はセル５１を形成する隔壁、である。
【０００７】
さらに、上述したカラーフィルターを用いた例における問題点は、そのまま、カラー表示媒体を使用する従来例においても問題となっていた。
【０００８】
本発明の目的は上述した問題点を解消して、カラー表示を行うにあたり、最大反射率を低下させずに、かつ、良好な色再現性を維持することができる情報表示用パネルを提供しようとするものである。
【課題を解決するための手段】
【０００９】
本発明の情報表示用パネルは、少なくとも一方が透明な２枚の基板間の隔壁により形成されたセル内に帯電性粒子を含んだ粒子群を表示媒体として封入し、２枚の基板の各々に設けた互いに直交するライン電極に電圧を印加することで表示媒体に電界を付与することによって、表示媒体を移動させて画像等の情報を表示する情報表示用パネルにおいて、４色のカラー表示手段を２行２列配置して１表示単位を構成してカラー表示をするにあたり、１セル内に２色のカラー表示手段を配置したことを特徴とするものである。
【００１０】
本発明の情報表示用パネルの好適例としては、４色のカラー表示手段が、４色のカラーフィルターと４色のカラーフィルターの各別に対応して封入された互いに帯電極性が異なる白色表示媒体および黒色表示媒体とを協働させて、カラー表示を行うこと、１セル内に、走査電極とするライン電極に平行に２色のカラー表示手段が並ぶようセルを構成したこと、走査電極とするライン電極に平行に配置された各セルが、隣り合うセル間で、１カラー表示手段分だけずれるようセルを配置したこと、１セル内に、各々のカラーフィルターのＣＩＥ色度図（ｘ、ｙ）で表されるｘｙの距離が最も近い２色のカラーフィルターを配置したこと、走査電極とするライン電極を表示面側に設け、データ電極とするライン電極を背面側に設け、表示面側ライン電極を走査（スキャン）することで表示書き換えを行うこと、４色のカラーフィルターを、赤（Ｒ）、緑（Ｇ）、青（Ｂ）、無色（Ｔ）のフィルター、または、シアン（Ｃ）、マゼンタ（Ｍ）、黄（Ｙ）、無色（Ｔ）のフィルター、または赤（Ｒ）、青（Ｂ）、シアン（Ｃ）、黄（Ｙ）のフィルター、さらにまたは、赤（Ｒ）、緑（Ｇ）、シアン（Ｃ）、黄（Ｙ）のフィルターから構成したこと、がある。
【００１１】
なお、上述した本発明の好適例において、「１セル内に２色のカラーフィルターを配置した」とは、１セルと対応する表示面側基板の内側に２色のカラーフィルターを配置する例や、１セルと対応する表示面側基板の外側に２色のカラーフィルターを配置する例、さらに、１セルと対応する表示面側基板の外側に２色のカラーフィルターが配置できるよう構成したカラーフィルター基板を貼り合わせる例などを含む概念を示している。
【００１２】
また、本発明の情報表示用パネルの他の好適例としては、４色カラー表示手段が、４種類のカラー表示媒体セットで構成され、該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、カラー表示媒体セットのそれぞれにおいて帯電極性の異なる２色のカラー表示媒体を協働させてカラー表示を行うこと、１セル内に、走査電極とするライン電極に平行に２色のカラー表示手段が並ぶようセルを構成したこと、走査電極とするライン電極に平行に配置された各セルが、隣り合うセル間で、１カラー表示手段分だけずれるようセルを配置したこと、１セル内に、各々のカラー表示手段を構成する白色および黒色以外のカラー表示媒体のＣＩＥ色度図（ｘ、ｙ）で表されるｘｙの距離が最も近い２色のカラー表示媒体を配置したこと、走査電極とするライン電極を表示面側に設け、データ電極とするライン電極を背面側に設け、表示面側ライン電極を走査（スキャン）することで表示書き換えを行うこと、白色表示媒体および黒色表示媒体以外のカラー表示媒体を、赤（Ｒ）、緑（Ｇ）、青（Ｂ）のカラー表示媒体、または、シアン（Ｃ）、マゼンタ（Ｍ）、黄（Ｙ）のカラー表示媒体、から構成したこと、がある。
【００１３】
なお、本発明の好適例において、「４色カラー表示手段が、４種類のカラー表示媒体セットで構成され、該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、カラー表示媒体セットのそれぞれにおいて帯電極性の異なる２色のカラー表示媒体を協働させてカラー表示を行う」とは、一例として以下の状態を意味している。すなわち、４色のカラー表示手段が、互いに帯電極性が異なるカラー表示媒体の組み合わせである、（１）白色表示媒体と赤色（Ｒ）表示媒体、（２）白色表示媒体と緑色（Ｇ）表示媒体、（３）白色表示媒体と青色（Ｂ）表示媒体、（４）白色表示媒体と黒色（Ｋ）表示媒体、の４つのカラー表示媒体の組み合わせで構成されるか、（１）黒色表示媒体と赤色（Ｒ）表示媒体、（２）黒色表示媒体と緑色（Ｇ）表示媒体、（３）黒色表示媒体と青色（Ｂ）表示媒体、（４）白色表示媒体と黒色（Ｋ）表示媒体、の４つのカラー表示媒体の組み合わせで構成されるか、（１）白色表示媒体と黄色（Ｙ）表示媒体、（２）白色表示媒体とマゼンタ色（Ｍ）表示媒体、（３）白色表示媒体とシアン色（Ｃ）表示媒体、（４）白色表示媒体と黒色（Ｋ）表示媒体、の４つのカラー表示媒体の組み合わせで構成されるか、（１）黒色表示媒体と黄色（Ｙ）表示媒体、（２）黒色表示媒体とマゼンタ色（Ｍ）表示媒体、（３）黒色表示媒体とシアン色（Ｃ）表示媒体、（４）白色表示媒体と黒色（Ｋ）表示媒体、の４つのカラー表示媒体の組み合わせで構成されるか、として、互いに帯電極性が異なって組み合わせた２色の表示媒体を協働させて、カラー表示を行っている。
【発明の効果】
【００１４】
本発明によれば、４色のカラー表示手段を２列２行に配置して１表示単位を構成してカラー表示をするにあたり、１セル内に２色のカラー表示手段を配置したことで、カラー表示を行うにあたり、最大反射率を低下させずに、かつ、良好な色再現性を維持することができる情報表示用パネルを得ることができる。
【発明を実施するための最良の形態】
【００１５】
まず、本発明の情報表示用パネルの基本的な構成について説明する。本発明の対象となる情報表示用パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１６】
本発明の情報表示用パネルの基本的な構成を、図１（ａ）〜（ｃ）、図２（ａ）〜（ｃ）に基づき説明する。
【００１７】
図１（ａ）〜（ｃ）に示す例では、光学的反射率を有する帯電性粒子を含んだ粒子群として構成した互いに極性の異なる少なくとも２種以上の表示媒体３（ここでは表示媒体用白色帯電性粒子３Ｗａの粒子群として構成した白色表示媒体３Ｗと表示媒体用黒色帯電性粒子３Ｂａの粒子群として構成した黒色表示媒体３Ｂを示す）を、隔壁４で形成された各セル７において、基板１に設けた電極５（ライン電極）と基板２に設けた電極６（ライン電極）とが対向直交交差して形成する対電極の間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。電極は基板外側に設けてもよいし、基板内部に埋め込むように設けてもよい。図２（ａ）〜（ｃ）に示す例は、図１（ａ）〜（ｃ）に示す例から、部分的に内側の隔壁４を除いたものである。
【００１８】
＜カラーフィルターを用いた例について＞
本発明の情報表示用パネルの好適例では、上述した白黒表示に加えて、各色のカラーフィルターを表示面側の電極６と基板２との間に設けるか、電極６の内側に設けるか、基板２の内部に埋め込むように設けるか、基板２の外側に設けることで、カラー表示を行っている。そして、本発明の情報表示用パネルの好適例の特徴は、４色のカラーフィルターを２行２列に配置して１表示単位を構成してカラー表示をするにあたり、１セル内に２色のカラーフィルターを配置したことにある。
【００１９】
以下、本発明の好適例の特徴となるカラーフィルターの配置について説明する。
【００２０】
図３〜図５はそれぞれ本発明の情報表示用パネルにおけるカラーフィルターの配置の一例を説明するための図である。図３〜図５に示す例のいずれも、１セル内に２色のカラー表示手段としてカラーフィルターを配置した（以下、２個／１セルとも記載する）本発明例を示している。図３〜図５に示す例において、２１は表示面側のライン電極、２２は表示面側のライン電極２１と対向直交して設けられた背面側のライン電極、２３は隔壁２４で形成されたセル、Ｒ、Ｇ、Ｂ、Ｔはそれぞれ赤、緑、青、無色の４色のカラーフィルターを示している。なお、セル２３および隔壁２４は、本来、ライン電極２１とライン電極２２との間に形成されているが、それらの位置がよくわかるように、ここでは実線で示している。
【００２１】
図３に示す例では、１セル２３内に、走査電極とする表示面側のライン電極２１に平行に２色のカラーフィルターが並ぶようセル２３を構成している。また、走査電極とする表示面側のライン電極２１に平行に配置された各セル２３が、隣り合うセル２３間で、同じ位置となるようセルを配置している。さらに、４色のカラーフィルターの配置について、１セル２３内に、各々のカラーフィルターのＣＩＥ色度図（ｘ、ｙ）で表されるｘｙの距離が最も近い２色のカラーフィルターを配置している。
【００２２】
図４に示す例では、１セル２３に対応して、走査電極とする表示面側のライン電極２１に平行に２色のカラーフィルターが並ぶようセル２３を構成している。また、走査電極とする表示面側のライン電極２１に平行に配置された各セル２３が、隣り合うセル２３間で、１カラー表示手段分だけずれるようセルを千鳥格子状に配置している。さらに、４色のカラーフィルターの配置について、１セル２３内に、各々のカラーフィルターのＣＩＥ色度図（ｘ、ｙ）で表されるｘｙの距離が最も近い２色のカラーフィルターを配置している。
【００２３】
図５に示す例では、１セル２３に対応して、走査電極とする背面側のライン電極２１に平行に２色のカラーフィルターが並ぶようセル２３を構成している。また、走査電極とする背面側のライン電極２１に平行に、配置された各セル２３が、隣り合うセル２３間で、同じ位置となるようセルを配置している。さらに、４色のカラーフィルターの配置について、１セル２３内に、各々のカラーフィルターのＣＩＥ色度図（ｘ、ｙ）で表されるｘｙの距離が最も近い２色のカラーフィルターを配置している。
【００２４】
次に、本発明の情報表示用パネルの好適例の一例について、図６〜図７を参照して説明する。
【００２５】
図６は本発明の情報表示用パネルを説明するために示す従来の４個／１セルの情報表示用パネルを説明するための図である。図６に示す４個／１セルの例において、図中○印で示した表示面側にライン電極２１が無い部分の表示面側には、表示媒体がつきにくく、あまり、最大反射率や色再現力に悪影響を与えない。そのため、その部分に隔壁を形成して、セルを２個／１セルの配置としても、最大反射率や色再現力に悪影響を与えない。一方、図５においてライン電極２２を走査電極として配置し、１セル２３に対応して、走査電極とする表示面側のライン電極２２に垂直に２色のカラーフィルターが並ぶようセル２３を構成した場合は、隔壁が表示面側のライン電極２２を塞ぐこととなり、最大反射率が低下する。そのため、図３および図４に示すように、１セル２３内に対応して、走査電極とするライン電極２１を表示面側に配置し、この走査電極とするライン電極２１に平行に２色のカラーフィルターが並ぶようセル２３を構成している例の方がより好適な例となる。
【００２６】
図７（ａ）、（ｂ）はそれぞれ本発明の情報表示用パネルを更に説明するための図である。  図３および図４に示す２個／１セルの例において、図７（ａ）に示すように、表示面側ライン電極をデータ電極としてしまうと駆動のスキャンラインが、１セル２３に対応して２色のカラーフィルターが並ぶ方向と平行方向となり、スキャンラインに沿う表示媒体の移動により、同じセル２３内において表示媒体が他のカラーフィルター色の部分へ移動してしまい、表示媒体の量が均一にならなくなり、色再現性が低下する。一方、図７（ｂ）に示すように、表示面側ライン電極を走査電極とすれば駆動のスキャンラインが、１セル２３に対応して２色のカラーフィルターが並ぶ方向と垂直方向となり、スキャンラインに沿う表示媒体の移動は隔壁により遮られ、表示媒体の量が均一となり、色再現性を良好に維持することができる。そのため、図７（ｂ）に示すように、駆動のスキャンラインを、１セル２３に対応して２色のカラーフィルターが並ぶ方向と垂直方向にすること、言い換えれば、１セルに対応する２色のカラーフィルターを走査電極と平行に並べること、が好ましい。
【００２７】
次に、上述した図３〜図５で示すように、４色のカラーフィルターの配置について、１セル２３に対応して、各々のカラーフィルターのＣＩＥ色度図（ｘ、ｙ）で表されるｘｙの距離が最も近い２色のカラーフィルターを配置する例が好適例となる。このように構成することで、同じセル２３内において、表示媒体が多少移動して表示媒体の量が均一でなくなっても、混色を少なくすることができ、色再現性の低下を防ぐことができる。
【００２８】
＜カラー表示媒体を用いた例について＞
本発明の情報表示用パネルの他の好適例では、上述した白黒表示の駆動例に従って、４色カラー表示手段が、４種類のカラー表示媒体セットで構成され、該４種類のカラー表示媒体セットはそれぞれ帯電極性の異なる２色のカラー表示媒体の組み合わせであって、かつ、該４種類のカラー表示媒体セットの一方の帯電極性のカラー表示媒体を白色表示媒体とし、もう一方の帯電極性のカラー表示媒体を黒色表示媒体と白黒以外の３色のカラー表示媒体として構成するか、または、該４種類のカラー表示媒体セットの一方の帯電極性のカラー表示媒体を黒色表示媒体とし、もう一方の帯電極性のカラー表示媒体を白色表示媒体と白黒以外の３色のカラー表示媒体として構成するかして、カラー表示媒体セットのそれぞれにおいて帯電極性の異なる２色のカラー表示媒体を協働させてカラー表示を行っている。
【００２９】
以下の表１に、本発明の他の好適例の特徴となるカラー表示媒体の組合せ例について説明する。表１においては、４種類のカラー表示媒体セット１〜４のそれぞれに対して２種類のカラー表示媒体１〜８の例を表示しており、Ｒは赤色、Ｇは緑色、Ｂは青色、Ｋは黒色、Ｗは白色、Ｙはイエロー、Ｍはマゼンタ、Ｃはシアンを示している。また、カラー表示媒体１とカラー表示媒体２（３と４、５と６、７と８）とはそれぞれ異なる帯電極性を有している。
【００３０】
【表１】
2009115972.tif 000003
【００３１】
図８（ａ）〜（ｃ）および図９は本発明の他の好適例を説明するための図である。図８（ａ）〜（ｃ）に示す例は、それぞれ、表１のカラー表示媒体セット１における２個／１セルの例を示しており、図８（ａ）はその平面図を、図８（ｂ）は図８（ａ）のＡ−Ａ線に沿った断面図を、図８（ｃ）は図８（ａ）のＢ−Ｂ線に沿った断面図を、それぞれ示している。図９に示す例は、表１のカラー表示媒体セットにおける２個／１セル（セルは千鳥格子状配置）の例を示している。また、図１０および図１１はそれぞれ比較例を説明するための図である。図１０に示す例は、表１に示すカラー表示媒体セット１の例における１個／１セルの例を示しており、図１１に示す例は、表１に示すカラー表示媒体セット１の例における４個／１セルの例を示している。
【００３２】
図８〜図１１に示すカラー表示媒体を利用した例においても、図３〜図７で説明したカラーフィルターを利用した例と、表示媒体の駆動方法および得られる作用効果は同じであるため、ここでは説明しない。
【００３３】
次に、本発明における表示媒体用粒子（帯電性粒子）について説明する。表示媒体用粒子は、そのまま該表示媒体用粒子だけで構成して表示媒体としたり、その他の粒子と合わせて構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３４】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
本発明では、上述した樹脂から、必要に応じて単官能モノマー、多官能モノマーを選択して組み合わせて用いている。
【００３５】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３６】
着色剤としては、以下に例示するような、有機または無機の各種、各色の顔料、染料が使用可能である。
【００３７】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３８】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３９】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４０】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記着色剤を配合して所望の色の表示媒体用粒子を作製できる。
【００４１】
また、本発明の表示媒体用粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４２】
更に本発明の表示媒体用粒子では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、表示媒体としての均一な移動が可能となる。
【００４３】
さらにまた、使用した表示媒体用粒子の内、最大径を有する粒子のd(0.5)に対する最小径を有する粒子のd(0.5)の比１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４４】
なお、上記表示媒体用粒子の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Ｍｉｅ理論を用いた体積基準分布を基本としたソフト）にて、粒子径および粒子径分布の測定を行うことができる。
【００４５】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４６】
本発明者らは鋭意検討の結果、ブローオフ法において同一のキャリア粒子を用いて、表示媒体用粒子の帯電量測定を行うことにより、表示媒体用粒子の適正な帯電特性値の範囲を評価できることを見出した。
【００４７】
更に、本発明の情報表示用パネルを、気体中空間で表示媒体を駆動する乾式の情報表示用パネルとする場合、表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば、図１、図２において、対向する基板１、基板２に挟まれる部分から、電極５、６（電極を基板内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体を構成する粒子の充填、情報表示用パネルの組み立てなどを所定湿度環境下にて行い、さらに、外からの湿度侵入を防ぐシール剤、シール方法を施すことが肝要である。
【００４８】
本発明の情報表示用パネルにおける基板と基板との間隔は、表示媒体が移動できて、コントラストを維持できればよいが、通常１０〜１００μｍ、好ましくは１０〜５０μｍに調整される。
対向する基板間の気体中空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【実施例】
【００４９】
＜カラーフィルターを用いた例について＞
白色負帯電性粒子を含んで構成した白色表示媒体と黒色正帯性電粒子を含んで構成した黒色表示媒体との組合せを、四角形格子状セル内に配置し、各画素（ピクセル）にＲ（赤色）、Ｇ（緑色）、Ｂ（青色）、Ｔ（無色）の４色で構成したカラーフィルターを設けた情報表示用パネルを作製し、以下の評価を行った。
【００５０】
実際に、１セル内に配置するカラーフィルターの数により、２個／１セルの本発明例となる実施例１〜６、１個／１セルの比較例１および４個／１セルの比較例２と、の情報表示用パネルを準備した。それぞれのカラーフィルターの並び方、セルの並び方を以下の表２に示す。準備した情報表示用パネルに対し、駆動電圧を表２に示すスキャンラインで印加して、実際に表示を行い、最大反射率、表示媒体の移動が無いこと、色再現性についての評価を行うとともに、その結果に基づき総合判定（◎、○、△を合格とし、×を不合格とした）を行った。結果を以下の表２に示す。
【００５１】
表２に示す評価は以下の通りに行った。最大反射率は、最も明るい４個／１セルの比較例２を基準（◎）として、−１０％の範囲なら○（良好）、−１０％〜−１５％の範囲なら△（やや良好）、それ以上暗くなるのであれば×（不良）として表記した。表示媒体の移動が無いことについては、顕微鏡観察を行い、目視で○（無し）、△（少ない）、×（多い）を判別した。色再現性は、最も色再現性が良かった実施例４を基準（◎）として、ＮＴＳＣ比が−１０％の範囲なら○（良好）、−１０％〜−１５％の範囲なら△（やや良好）、それ以上ＮＴＳＣ比が低下するのであれば×（不良）として表記した。
【００５２】
【表２】
2009115972.tif 000004
【００５３】
表２の結果から、２個／１セルの実施例１〜６の結果が１個／１セルの比較例１および４個／１セルの比較例２と比べて良好な結果が得られることがわかった。また、実施例１〜６の中でも、セルの長手方向を、走査電極となるライン電極を表示面側に設け、その表示面側のライン電極と平行にした実施例１、３、４、５が、セルの長手方向を、データ電極となるライン電極を表示面側に設け、走査電極となるライン電極を背面側に設けたために、表示面側のライン電極と垂直にした実施例２、６と比べて、良好な結果が得られることがわかった。
【００５４】
＜カラー表示媒体を用いた例について＞
上述した表１におけるカラー表示媒体セット１に従って、Ｒ（赤色カラー表示媒体）、Ｇ（緑カラー表示媒体）、Ｂ（青色カラー表示媒体）、Ｋ（黒色カラー表示媒体）とＷ（白色カラー表示媒体）との４色のカラー表示媒体を使用した情報表示用パネルを作製し、以下の評価を行った。表１に示したカラー表示媒体１と２、３と４、５と６、７と８はそれぞれ帯電極性が異なるカラー表示媒体である。
【００５５】
実際に、１セル内に配置するカラー表示媒体の数により、２個／１セルの本発明例となる実施例１１〜１６と、１個／１セルの比較例１１および４個／１セルの比較例１２と、の情報表示用パネルを準備した。それぞれのカラー表示媒体組合せの並び方、セルの並び方を以下の表３に示す。準備した情報表示用パネルに対し、駆動電圧を表３に示すスキャンラインで印加して、実際に表示を行い、最大反射率、表示媒体の移動が無いこと、色再現性についての評価を行うとともに、その結果に基づき総合判定（◎、○、△を合格とし、×を不合格とした）を行った。結果を以下の表３に示す。
【００５６】
表３に示す評価は以下の通りに行った。最大反射率は、最も明るい４個／１セルの比較例１２を基準（◎）として、−１０％の範囲なら○（良好）、−１０％〜−１５％の範囲なら△（やや良好）、それ以上暗くなるのであれば×（不良）として表記した。表示媒体の移動が無いことについては、顕微鏡観察を行い、目視で○（無し）、△（少ない）、×（多い）を判別した。色再現性は、最も色再現性が良かった実施例１４を基準（◎）として、ＮＴＳＣ比が−１０％の範囲なら○（良好）、−１０％〜−１５％の範囲なら△（やや良好）、それ以上ＮＴＳＣ比が低下するのであれば×（不良）として表記した。
【００５７】
【表３】
2009115972.tif 000005
【００５８】
表３の結果から、２個／１セルの実施例１１〜１６の結果が１個／１セルの比較例１１および４個／１セルの比較例１２と比べて良好な結果が得られることがわかった。また、実施例１１〜１６の中でも、セルの長手方向を、走査電極となるライン電極を表示面側に設け、その表示面側のライン電極と平行にした実施例１１、１３、１４、１５が、セルの長手方向を、データ電極となるライン電極を表示面側に設け、走査電極となるライン電極を背面側に設けたために、表示面側のライン電極と垂直にした実施例１２、１６と比べて、良好な結果が得られることがわかった。
【産業上の利用可能性】
【００５９】
本発明の情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presnece, Point of Purchase advertising）、電子値札、電子棚札、電子楽譜、ＲＦ−ＩＤ機器の表示部として情報表示装置に搭載される他、駆動電源付回路に接続して表示書き換えを行った後、情報表示用パネルを取り外して用いるリライタブルペーパーとしても好適に用いられる。
【図面の簡単な説明】
【００６０】
【図１】（ａ）〜（ｃ）はそれぞれ本発明の情報表示用パネルの一例を説明するための図である。
【図２】（ａ）〜（ｃ）はそれぞれ本発明の情報表示用パネルの他の例を説明するための図である。
【図３】本発明の情報表示用パネルにおけるカラーフィルターの配置の一例を説明するための図である。
【図４】本発明の情報表示用パネルにおけるカラーフィルターの配置の他の例を説明するための図である。
【図５】本発明の情報表示用パネルにおけるカラーフィルターの配置のさらに他の例を説明するための図である。
【図６】本発明の情報表示用パネルを説明するための図である。
【図７】（ａ）、（ｂ）はそれぞれ本発明の情報表示用パネルを説明するための他の図である。
【図８】（ａ）〜（ｃ）はそれぞれ本発明の情報表示用パネルを説明するための更に他の図である。
【図９】本発明の情報表示用パネルを説明するための更に他の図である。
【図１０】従来の情報表示用パネルを説明するための図である。
【図１１】従来の情報表示用パネルを説明するための他の図である。
【図１２】従来の情報表示用パネルにおけるカラーフィルターの配置の一例を説明するための図である。
【図１３】従来の情報表示用パネルにおけるカラーフィルターの配置の他の例を説明するための図である。
【符号の説明】
【００６１】
１、２  基板
３  表示媒体（粒子群）
３Ｗ  白色表示媒体
３Ｗａ  白色表示媒体用帯電性粒子
３Ｂ  黒色表示媒体
３Ｂａ  黒色表示媒体用帯電性粒子
４  隔壁
５、６  電極
７  セル
２１  ライン電極（走査電極）
２２  ライン電極（データ電極）
２３  セル
２４  隔壁
【図１】
2009115972.tif 000006
【図２】
2009115972.tif 000007
【図３】
2009115972.tif 000008
【図４】
2009115972.tif 000009
【図５】
2009115972.tif 000010
【図６】
2009115972.tif 000011
【図７】
2009115972.tif 000012
【図８】
2009115972.tif 000013
【図９】
2009115972.tif 000014
【図１０】
2009115972.tif 000015
【図１１】
2009115972.tif 000016
【図１２】
2009115972.tif 000017
【図１３】
2009115972.tif 000018